(57)【特許請求の範囲】
【請求項１】
所定情報を券紙に印字して発行する券発行装置において、
該券発行装置の側壁より突出して設けた周辺機器の載置台と、
前記券発行装置の上部に設けられ、前記周辺機器を載置可能な天板部とを設け、
前記載置台と前記天板部間の側壁に開口部を形成し、
前記開口部の内側に券発行情報を印字媒体に記録可能な券控え印字部を配置し、
該券控え印字部は印字済みの前記印字媒体を装置内部に貯留可能とするとともに、
該貯留した印字媒体は前記開口部から目視可能かつ取り出し可能であることを特徴とする券発行装置。
【請求項２】
請求項１記載の券発行装置において、
所定情報を印字して発行する券紙の発行口を、前記載置台と前記天板部間に設けた券発行装置。
【請求項３】
請求項２記載の券発行装置において、
前記開口部と前記発行口を同一側壁面に形成した券発行装置。
【請求項４】
請求項３記載の券発行装置において、
前記開口部と前記発行口を横方向に並設して形成した券発行装置。
【請求項５】
請求項１記載の券発行装置において、
該券発行装置は外部より券紙を取り込み可能とし、該券紙の挿入口を前記発行口と同一側壁面に縦方向に並設して形成した券発行装置。
【請求項６】
請求項１記載の券発行装置において、
前記載置台は前記側壁と略フラットになるように倒れることを特徴とする券発行装置。
【発明の詳細な説明】
【０００１】
【発明の属する技術分野】
本発明は、所定情報を券紙に印字して発行する券発行装置に関する。
【０００２】
【従来の技術】
例えば券紙を発行する券発行装置は、交通旅客分野或いはコンサート等の娯楽分野の他、各種分野で使用され、列車の座席指定券や航空機の搭乗券或いは各種の予約券等を発行している。このような券発行装置は、予約形態に応じた多量の予約情報の管理を正確に行うため、内部に印字部を備えている。印字部は、例えば列車の座席指定券の発行動作を行った場合、券発行側の保存用情報を印字媒体に印字していた。
【０００３】
【発明が解決しようとする課題】
従来の券発行装置にあっては、印字部で印字された印字済みの印字媒体は、例えば装置の天板上に排出され集積されていた。従って、装置の天板上は印字媒体排出用の空間を常に確保しておく必要があり、装置の取扱における各種操作において、実用上最も利便性の高い天板部分の利用価値を低下ならしめることとなっていた。
【０００４】
【課題を解決するための手段】
前記課題を解決するために、本発明が講じた解決手段は、券発行装置の側壁より突出して設けた周辺機器の載置台と、券発行装置の上部に設けられ、周辺機器を載置可能な天板部とを設け、載置台と天板部間の側壁に開口部を形成し、開口部の内側に券発行情報を印字媒体に記録可能な券控え印字部を配置し、券控え印字部は印字済みの印字媒体を内部に貯留可能とすると共に、貯留した印字媒体を開口部から取出し可能にしたものである。
【０００５】
上述の解決手段によれば、印字部により券発行情報を印字媒体に印字した後、印字済みの印字媒体は券発行装置内に貯留され、券発行装置外に排出されない。また、印字済みの印字媒体を券発行装置外に取り出す際は、開口部から取り出すことができる。
【０００６】
【発明の実施の形態】
以下に本発明の実施の形態を図面を参照しながら詳細に説明する。本実施の形態の券発行装置は、座席指定券等の券紙を発行し、券発行情報を連続用紙に印字するジャーナルプリンタを備えた券発行装置である。なお、各図面に共通する要素には同一の符号を付す。図１は本発明に係る実施の形態における券発行装置の要部概略構成図である。図２は実施の形態の券発行装置の概略斜視図であり、図２（ａ）はオペレータによる座り操作用の状態を示し、図２（ｂ）は立ち操作用の状態を示す。また、図３は実施の形態の券発行装置の概略構成図である。
【０００７】
券発行装置１００の筐体１には、前側側壁面１ａ（以下、前面１ａと記す）もしくは上面（天板）１ｂに選択的に載置可能なキーボード２及び上面１ｂに移動自在に載置されるＣＲＴ等の表示部３が設けられている。また筐体１の内部には、連続用紙５に印字を行うジャーナルプリンタ４及びホッパ機構部６、図示せぬ磁気ヘッド等で構成される磁気リードライト部７、図示せぬ印字ヘッドやリボン等で構成されるプリンタ部８が備えられている。
【０００８】
本実施の形態のジャーナルプリンタ４は、図１に示すサーマルヘッド４ａ及びプラテン４ｂ、巻取ローラ４ｃを備えている。ロール状の感熱紙である連続用紙５はサーマルヘッド４ａ及びプラテン４ｂにより圧接挟持され、サーマルヘッド４ａにより印字される。プラテン４ｂは図示せぬプラテンローラにより回転し、巻取ローラ４ｃは図示せぬ駆動伝達手段によりプラテンローラの回転力が伝達されて回転し、印字済みの連続用紙５を券発行装置１００内に貯留する。
【０００９】
ホッパ機構部６は、複数枚の券紙９（以後、券９と記す）を収納しておく収納部や券９の有無を検知するセンサ、さらには券９を繰り出す機構等を備えている。
【００１０】
ジャーナルプリンタ４及び上述の各部６〜８は搬送路１０で接続され、搬送路１０の終端部には券挿入口１１（図２、３参照）及び券発行口１２が縦方向に並設して形成されている。券挿入口１１及び券発行口１２には、券９の有無を検出するセンサ１１ａ、１２ａが夫々設けてある。また、搬送路１０には複数のローラ対１４及びゲート１５ａが設けてあり、券９を所定の場所へ案内、搬送する。
【００１１】
券発行装置１００の前面１ａには、キーボード搭載台１６が取り付けられている。キーボード搭載台１６を券発行装置１００の前面１ａに対して突出させた状態とすることで、筐体１に略水平な面が形成され、キーボード搭載台１６にキーボード２を載置して使用可能となる（図１、図２（ａ）参照）。この状態では、筐体１の設置面からキーボード２の高さは座り操作に適した高さとなっている。なお、キーボード搭載台１６を水平方向に突出させた状態でその姿勢を保持するために、例えばアームでキーボード搭載台１６を支持するなどの図示せぬロック機構が備えられている。
【００１２】
またキーボード搭載台１６を、図１及び図２（ａ）の状態から図２（ｂ）に示すように倒すと、前面１ａは略フラットになる。この状態において、キーボード２は上面１ｂに載置して使用され、筐体１の設置面からキーボード２の高さは立ち操作に適した高さとなっている。
【００１３】
キーボード載置台１６及び上面１ｂには、図２に示す複数の凸部１７が形成されており、キーボード２の裏面には凸部１７と嵌合する図示せぬ凹部が形成されている。従って、略水平方向に突出させたキーボード搭載台１６或いは上面１ｂにキーボード２を載置すると、凸部１７に凹部が嵌まり、キーボード２は前後左右の移動が固定されると共に、複数の凸部１７及び凹部の形状を例えば楕円形状としておけば、キーボード２の載置向きも一方向に決めることができる。
【００１４】
また前面１ａには、キーボード載置台１６と上面１ｂとの間に、ジャーナルプリンタ４で印字済みの連続用紙５が取り出される開口部としての孔１ｃが形成されている。図２に示すように、孔１ｃは券挿入口１１及び券発行口１２に対し横方向に並設して形成されており、またジャーナルプリンタ４で印字済みの連続用紙５は孔１ｃから見えるようになっている。従ってオペレータは、印字済み連続用紙５をその貯留状況を見て孔１ｃから取り出すことができる。
【００１５】
次に本実施の形態の制御系について図４を加えて説明する。図４は実施の形態の券発行装置のブロック図である。
【００１６】
主制御部２０は券発行装置１００の全体の動作を制御する。主制御部２０には、キーボード２等から入力される情報を記憶するメモリ２１及びジャーナルプリンタ４のサーマルヘッド４ａとローラ駆動制御部２５、ホッパ機構部６、磁気リードライト部７、プリンタ部８、キーボード２、表示制御部２４、搬送制御部２２、センサ１１ａ、１２ａ、通信制御部２３が接続されている。
【００１７】
ローラ駆動制御部２５は、ジャーナルプリンタ４のプラテンローラ等の駆動系（図示せず）を制御する。搬送制御部２２は、搬送路１０のローラ対１４やゲート１５ａ等を駆動する図示せぬモータやソレノイド等の制御及び、搬送中の券９の搬送状態を検知するセンサ群（図示せず）の制御をする。表示制御部２４は表示部３を制御する。通信制御部２３はホスト装置（図示せず）と情報の授受を行う。
【００１８】
次に、本実施の形態の券発行装置１００の動作を同じく図１〜図４を用いて説明する。
【００１９】
券発行装置１００での一取引分の処理が正常に終了した後、主制御部２０は保存用の券発行情報を印字出力するようサーマルヘッド４ａに対して指示を出す。サーマルヘッド４ａの発熱素子（図示せず）は券発行情報に基づいて選択的に加熱される。同時に、ジャーナルプリンタ４のローラ駆動制御部２５に駆動制御されて、プラテン４ｂ及びこれと連動する巻取ローラ４ｃが回転する。これにより連続用紙５は、図１に示す矢印Ａ方向に送られて情報を順次印字される。
【００２０】
連続用紙５は、サーマルヘッド４ａ側へ引き出される前はロール状となっているので、カール癖が付いている。従って印字済みの連続用紙５は、そのカール癖及び巻取ローラ４ｃにより、図１に示すようにカールした状態で券発行装置１００内に貯留される。
【００２１】
印字済み連続用紙５が所定量貯留されると、オペレータにより孔１ｃから取り除かれる。
【００２２】
従来の券発行装置では筐体の上面上に印字済み連続用紙５を排出していたので、図２（ａ）に示す状態でしかキーボード２を保持できなかったが、本実施の形態では、印字済み連続用紙５は筐体１内部（券発行装置１００内部）に貯留しているので、上面１ｂにもキーボード２を載置することができる。従って、上面１ｂを有効に活用することができ、上面１ｂの利用価値を上げることができる。また、本実施の形態では券発行装置１００の設置スペースが限られている場合、例えば設置スペースが狭い場合、上面１ｂを活用できることにより装置設置スペースの全体的な有効活用化にも大きく貢献できる。
【００２３】
さらに、上面１ｂにキーボード２を載置することができるので、オペレータの操作状況（座り操作及び立ち操作）に応じてキーボード２の載置位置を変更することができ、操作性が向上するという効果も得ることができる。
【００２４】
本実施の形態の券発行装置１００は、一例として上面１ｂをキーボード２の載置に利用しているが、利用法は本実施の形態に限られず、キーボード２以外の周辺機器を載置するものであってもよい。
【００２５】
本実施の形態では、ジャーナルプリンタ４はサーマルヘッド４ａを使用しているが、サーマルヘッド４ａに限らず、その他の印字方法であってもよいことは言うまでもない。
【００２６】
【発明の効果】
以上詳細に説明したように、本発明は、券控え印字部で印字済みの印字媒体を内部に貯留可能とすると共に、貯留した印字媒体を開口部から取出し可能にしたことにより、券発行装置の天板上に印字媒体排出用の空間を常に確保しておく必要はない。従って、装置取扱における各種操作において、天板部分の利用価値を上げることが可能となり、装置設置スペースの全体的な有効活用化に大きく貢献できる。
【図面の簡単な説明】
【図１】本発明に係る実施の形態の券発行装置の要部概略構成図である。
【図２】実施の形態の券発行装置の概略斜視図である。
【図３】実施の形態の券発行装置の概略構成図である。
【図４】実施の形態の券発行装置のブロック図である。
【符号の説明】
１ｃ  孔
２  キーボード
４  ジャーナルプリンタ
５  連続用紙
９  券紙
１６  キーボード搭載台
２０  主制御部
１００  券発行装置
【図１】
0003616479.tif 000002
【図２】
0003616479.tif 000003
【図３】
0003616479.tif 000004
【図４】
0003616479.tif 000005